(57)【要約】【課題】各種の物品を収容する用途に加え、他の用途をもたせて容器の商品価値を向上した多用途容器を提供する。【解決手段】容器本体１と、この容器本体１の開口上端部に嵌合して閉蓋する蓋２とからなり、蓋２を容器本体に嵌合した際に、蓋と容器本体の外面が面一になるように構成した容器１００を備え、容器本体１は上端部側に蓋を嵌合する嵌合用筒状部３を有し、筒状部３に蓋を嵌合した際に、容器１００の中央部外周面を周回する隙間４を形成して閉蓋するように構成する。容器１００を地球に見たて、容器の外面には隙間４により形成される周回線４ａを赤道とする世界地図１７を印刷等で表示し、容器を地球儀としても利用できるように構成する。【選択図】図１
2005200101.tif 000002
【特許請求の範囲】
【請求項１】
容器本体と、この容器本体の開口上端部に嵌合して閉蓋する蓋とを有し、蓋を容器本体に嵌合した際に、蓋の外面と容器本体の外面が面一になるように構成した容器を備え、
前記容器本体は、容器本体の上端部側に形成され、前記蓋を嵌合する嵌合用筒状部を有し、前記筒状部に前記蓋を嵌合した際に、容器の中央部外周面を周回する隙間を形成して閉蓋するように構成され、
前記容器の外面には、前記隙間により形成される周回線を赤道とする世界地図が表示されていることを特徴とする、
多用途容器。
【請求項２】
容器本体と、この容器本体の開口上端部に嵌合して閉蓋する蓋とを有し、蓋を容器本体に嵌合した際に、蓋の外面と容器本体の外面が面一になるように構成した容器を備え、
前記容器本体は、容器本体の上端部側に形成され、前記蓋を嵌合する嵌合用筒状部と、この筒状部の下端部に設けられ、前記筒状部の外周面を周回させて取付けた化粧紐状体とを有し、前記筒状部に前記蓋を嵌合した際に、前記蓋の下端を前記紐状体に当接して閉蓋し、容器の中央部外周面に前記紐状体で周回線を形成するように構成され、
前記容器の外面には、前記紐状体により形成される前記周回線を赤道とする世界地図が表示されていることを特徴とする、
多用途容器。
【請求項３】
前記容器は多角形に形成されていることを特徴とする、請求項１又は２に記載の多用途容器。
【請求項４】
前記容器は円筒形に形成されていることを特徴とする、請求項１又は２に記載の多用途容器。
【請求項５】
前記容器本体は、外側容器と、この外側容器内に底部側を嵌合した内側容器とを有し、前記嵌合用筒状部は、前記内側容器の上端部側で形成されていることを特徴とする、請求項１ないし４のいずれか１項に記載の多用途容器。
【請求項６】
前記容器本体は、容器本体の上端部側に、前記蓋の嵌合部の厚みと対応し、かつ、前記容器本体の外周面を周回する段部を介して一体形成した延設筒状部を有し、前記嵌合用筒状部は前記延設筒状部で構成されていることを特徴とする、請求項１ないし４のいずれか１項に記載の多用途容器。
【発明の詳細な説明】
【技術分野】
【０００１】
本発明は、容器本体と、この容器本体の開口上端部に嵌合して閉蓋する蓋とを備えた容器において、各種の物品を収容する用途に加え、他の用途を付与した多用途容器に関する。
【背景技術】
【０００２】
従来、容器本体と、この容器本体の開口上端部に嵌合する蓋とからなり、蓋を嵌合した際に、蓋と容器本体の外面が平ら（面一）になるように構成した容器として種々の形状や型式のものが一般に知られている。
従来のこの種容器（印籠式と称されている）は、一般には販売する各種商品を収容して包装する包装用容器として使用されている。これらの包装用容器は、目的の商品を包装する包装用として製造されたもので、商品を購入した後、前記容器はほとんどの場合廃棄処分されている。そのため、資源の無駄使いになると共にゴミ公害の要因にもなっている。
【０００３】
ところで、地球儀は地球をかたどった小模型である。従来の地球儀は球体の表面に世界地図を描き、前記球体を、北極及び南極を通る軸を中心に回転自在、かつ、前記軸に所定の傾斜角度を持たせて支持させて構成されている。
地球儀は地球や世界地理等の知識を得るために重要であり、購入当初は机上等に置いて利用している。しかるに、地球儀は球体の回転支持機構等を備えているため、設置スペースが大になる。また、従来の地球儀は専ら地球儀としての用途しか備えていない。そのため、押入れや物置等に仕舞い込んで置かれることが多く見受けられる。
【発明の開示】
【発明が解決しようとする課題】
【０００４】
本発明は上記のような実情に鑑み、各種商品の物入れ用として使用できるとともに地球儀としても利用でき、もって容器の付加価値を向上させ、かつ、ゴミ公害の問題の解消にも貢献し得る多用途容器を提供することを目的とするものである。
【課題を解決するための手段】
【０００５】
前記目的を達成するため、本発明のうち１つの発明（第１の発明）は、容器本体と、この容器本体の開口上端部に嵌合して閉蓋する蓋とを有し、蓋を容器本体に嵌合した際に、蓋の外面と容器本体の外面が面一になるように構成した容器を備え、前記容器本体は、容器本体の上端部側に形成され、前記蓋を嵌合する嵌合用筒状部を備え、前記筒状部に前記蓋を嵌合した際に、容器の中央部外周面を周回する隙間を形成して閉蓋するように構成され、前記容器の外面には、前記隙間により形成される周回線を赤道とする世界地図が表示されていることを特徴とする。本発明の用途は特に限定するものではない。例えば、筆記用具などの筆入れ用やその他の物入れ用、或いは包装用等、広範囲に適応可能である。
【０００６】
本発明のうち、他の１つの発明（第２の発明）は、容器本体と、この容器本体の開口上端部に嵌合して閉蓋する蓋とを有し、蓋を容器本体に嵌合した際に、蓋の外面と容器本体の外面が面一になるように構成した容器を備え、前記容器本体は、容器本体の上端部側に形成され、前記蓋を嵌合する嵌合用筒状部と、この筒状部の下端部に設けられ、前記筒状部の外周面を周回させて取付けた化粧紐状体とを有し、前記筒状部に前記蓋を嵌合した際に、前記蓋の下端を前記紐状体に当接して閉蓋し、容器の中央部外周面に前記紐状体で周回線を形成するように構成され、前記容器の外面には、前記紐状体により形成される前記周回線を赤道とする世界地図が表示されていることを特徴とする。
【０００７】
第１又は第２の発明の多用途容器において、容器は四角形その他の多角形に形成（第３の発明）し、或いは円筒形（第４の発明）に形成することができる。
【０００８】
本発明のうち他の１つの発明（第５の発明）は、第１ないし第４のいずれかの発明の多用途容器において、前記容器本体は、外側容器と、この外側容器内に底部側を嵌合した内側容器とを有し、前記嵌合用筒状部は、前記内側容器の上端部側で形成されていることを特徴とする。
【０００９】
本発明のさらに他の１つの発明（第６の発明）は、第１ないし第４のいずれかの発明の多用途容器において、前記容器本体は、容器本体の上端部側に、前記蓋の嵌合部の厚みと対応し、かつ、前記容器本体の外周面を周回する段部を介して一体形成した延設筒状部を有し、前記嵌合用筒状部は前記延設筒状部で構成されていることを特徴とする。
【発明の効果】
【００１０】
本発明によれば次のような効果を奏する。（１）例えば、容器を筆記用具入れ、小物入れ、その他の各種物品の物入れ用に作成した場合、物入れ機能に加え、容器を地球儀として利用することができる。（２）例えば、旅行会社で使用するように作成した場合にあっては、ツーリスト関係の案内小冊子等をいれてツアーに参加する者に配布する容器として好適であり、当該ツーリストは容器を地球儀として利用することができる。また、旅行を終了して帰宅した後においては、容器を物入れとして使用することができる。（３）包装用容器用として作成した場合にあっては、販売する各種商品の包装用として使用できる。また、容器には世界地図が描かれているので、商品の購入者は、従来のように容器を廃棄しないで、所望の物品の物入れ用容器として使用されると共に地球儀として利用されることになる。（４）容器の中央部外周面を周回する周回線を赤道とし、容器を地球に見たてて世界地図を描いてあるので、従来の地球儀とは感覚的に全く異質で興味を与える地球儀を提供できる。（５）容器の中央部外周面を周回する隙間を形成して閉蓋するように構成し、前記隙間により形成される周回線を赤道として世界地図を表示してあるので、北半球の地図と南半球の地図との境界線に多少のズレが生じていても不自然を感じることなく合致しているように見えると共に前記隙間を赤道に見たててあるので地図が見易くなる。（６）従来の球形の地球儀と比べて設置スペースを小さくすることができる。
【発明を実施するための最良の形態】
【００１１】
以下、本発明の実施の形態の一例を説明する。
【００１２】
図１は本発明の多用途容器の一実施の形態を示す斜視図、図２は同上容器の底面図、図３は同図１のＡ−Ａ線拡大断面図、図４は同上容器の蓋を開けた状態を示す斜視図（但し、世界地図は省略）、図５は同上容器の蓋を展開して示す説明図、図６は同上容器の容器本体の外側容器を展開して示す説明図である。
【００１３】
上記図１〜図６において、この実施の形態（実施の形態１）の多用途容器の容器１００は、容器本体１と、この容器本体１の開口上端部に篏脱自在に嵌合して閉蓋する蓋２とを備えている。容器１００の素材は特に限定するものではないが、例えば紙材、プラスチック（発泡性樹脂を含む）、或いは金属板等を挙げることができる。
また、前記容器の形状及び大きさは使用目的等に応じて任意に設定することができる。
【００１４】
実施の形態１は、容器１００の素材として紙材を採用し、長四角形断面の箱形に形成されている。容器１００の大きさは前述したように使用目的等に応じて任意に設定する。例えば、筆記用具などの筆入れ用や小物入れ用に構成する場合には、容器１００のサイズとして、例えば、横巾約１０ｃｍ、縦巾約１９ｃｍ、高さ約６ｃｍ程度に形成することができる。但し、前記サイズに限定されるものでないこと勿論である。
【００１５】
容器本体１は、上端部（図示では略上半部）に前記蓋２を嵌合する嵌合用筒状部３を備え、前記筒状部３に蓋２を嵌合した際に、蓋２の外面と容器本体１の外面が面一（平ら）になると共に、容器１００の中央部外周面を周回する所望巾の隙間４を形成して閉蓋するように構成されている。
【００１６】
実施の形態１の容器本体１は外側容器１１と、この外側容器１１内に底部側（図示では略下半部）を嵌合した内側容器１２とを有し、前記嵌合用筒状部３は内側容器１２の上端部（図示では略上半部）で形成されている。
【００１７】
実施の形態１の外側容器１１は、ボール紙その他の厚紙材で作られ、底壁板１３と、前後及び左右に対向する一対の対向壁板１４,１４、１５,１５とを有し、上端を開口した長方形の箱形に形成され、外側面には紙製等の表装材１６を接着その他の手段で貼り合わせて構成されている。実施の形態１では前記表装材１６の上端部を折り返して外側容器１１の内側面に重合し、貼り合わせてなるものが開示されている。そして、前記表装材１６には世界地図１７の南半球の地図１７ａが印刷その他の手段で表示されている。この地図１７の構成等については追って説明する。
前記外側容器１１は前記蓋２と合致する形状及びサイズに形成されている。
【００１８】
前記内側容器１２は、紙材等を折り曲げて底壁板１８と、前後及び左右に対向する一対の対向壁板１９,１９、２０,２０とを有し、上端を開口した長方形の折り箱で構成されている。内側容器１２の略下半部は外側容器１１内に嵌合され、内側容器１２の外側容器１１から突出した略上半部で蓋２を嵌合する嵌合用筒状部３が形成されている。
実施の形態１の内側容器１２は、各対向壁板１９，２０の各下端部をそれぞれ内側へ折り曲げた折り曲げ片２１を有し、折り曲げ片２１の上面に底敷板２２を敷設してある。この場合、上記折り曲げ片２１及び底敷板２２は省略してもよい。また、前記内側容器１２は外側容器１１の適当部に接着剤等で接着して嵌合するように構成することもできる。
【００１９】
前記内側容器１２の高さは、蓋２を前記筒状部３に嵌合した際に、容器１００の中央部外周面に前記隙間４を形成して閉蓋する高さに構成されている。即ち、蓋２を前記筒状部３に嵌合し、前記筒状部３の上端が蓋２の天板３１の下面に当接した状態で前記隙間４が形成される高さに設定されている。
前記隙間４の巾のサイズは適当に設定するものであるが、例えば約１．５ミリ〜約５ミリ程度に設定することができる。
【００２０】
前記蓋２は上述したように外側容器１１と同一形状及び同一サイズに形成されている。実施の形態１の蓋２は、ボール紙その他の厚紙材で天板３１と、前後及び左右に対向する一対の対向壁板３２,３２、３３,３３とを有し、下端を開口した長方形の箱形に形成され、外側面には紙製等の表装材３４を接着その他の手段で貼り合わせて構成されている。実施の形態１では前記表装材３４の下端部を折り返して蓋２の内側面に重合し、貼り合わせてなるものが開示されている。
この場合において、所望に応じ、蓋２の内側面の全面に紙製等の裏貼り材（図示せず）を張り合わせた構成を採用することもできる。そして、前記表装材３４には世界地図１７の北半球の地図１７ｂが印刷その他の手段で表示されている。
【００２１】
上記構成により、蓋２を容器本体１の前記筒状部３へ嵌合して押動すると、前記筒状部３の上端に天板３１の下面が当接した時点で係止され、閉蓋される。この状態において、蓋２の外面と外側容器１１の外面は面一（平ら）になると共に容器１００の中央部には、容器を周回する前記隙間４が形成され、前記隙間４により周回線４ａが形成される。
【００２２】
前記容器１００の外面、即ち、前記表装材１６，３４には、容器１００を地球に見たて、前記隙間４により形成される周回線４ａを赤道とする世界地図１７が表示されている。
前記地図１７は、表装材１６，３４に印刷等によりあらかじめ印刷されている。即ち、表装材１６には南半球の地図１７ａが、また、表装材３４には北半球の地図１７ｂが表示されている。そして、表装材１６は外側容器１１に、また、表装材３４は蓋２に貼り合わせてある。
【００２３】
前記地図１７の構成は写実的、或いはデフォルメする等、自由に表現して作成することができる。前記地図１７には図５及び図６に示すように、国名や主要な都市等を記載する。最小限においても国名等は記載する。経度及び緯度は記載することが好ましいが、省略してもよい。また、特定の用途、例えば、旅行会社用の容器を作成する場合には、前記地図のうち、目的地の部分を拡大したり、或いは詳細に表示し、他の地域は国名等だけを表示する等の地図構成を採用することもできる。
なお、前記内側容器１２は、赤色系，オレンジ系，青色系その他任意の色に着色した紙材で構成することができる。この場合、例えば、赤色系に着色した紙材を採用すると、前記周回線４ａは赤色系の線で構成されるので、前記線４ａが赤道であることを感覚的に表現することができる。但し、上記したように、赤色系以外の任意の色を採用できるものである。
【００２４】
実施の形態１の多用途容器は上記のように構成したもので、次に使用方法の一例等につき説明する。例えば、筆記用具入れとして使用する場合（使用例１）には、従来と同様に机上等に置き、筆記用具を収容する容器として使用する。この例においては容器は卓上に置いてあるので、利用者は容器に表示されている世界地図を見る回数が多くなる。したがって、世界地図の知識を必然的に収得することになる。
【００２５】
また、例えば、小物入れ等として使用する場合（使用例２）には、容器の中に所望の物品を収容して従来と同様に使用する。この例においても容器は身近にあるため、物品を出し入れする毎に世界地図を見ることになる。したがって、使用例１と同様に世界地図の知識を必然的に収得する。
【００２６】
さらにまた、例えば、旅行会社用の場合（使用例３）には、当該会社はツーリスト関係の案内小冊子等を容器に入れ、ツアーに参加する者に配布する。そして、当該ツーリストは配布された容器を持参して旅行する。また、旅行を終了して帰宅した後においては、思い出として容器を小物入れ等に使用されることが多くなると思われる。したがって、これにより、使用例１,２と同様に世界地図の知識を必然的に収得する。
【００２７】
さらにまた、例えば、包装用容器として使用する場合（使用例４）には、従来と同様に各種の商品を容器に収容して販売する。そして、商品の購入者は従来のように容器を廃棄しないで、所望の物品の物入れ用容器として使用することが多くなると思う。したがって、使用例４においても使用例１,２と同様に世界地図の知識を必然的に収得されることになる。
【００２８】
なお、上記使用例は一例として挙げたもので、上記以外の用途に利用できること勿論である。この点に関しては以下に説明する実施の形態においても同様である。
【００２９】
また、実施の形態１では、蓋２側に北半球の地図１７ｂを、また、容器本体１側に南半球の地図１７ａを表示した例が開示されているが、地図１７は実施の形態１と天地逆の構成としてもよい。
即ち、前記周回線４ａを赤道とし、蓋２に南半球の地図１７ａを、また、容器本体１に北半球の地図１７ｂを表示する地図構成を採用することもできる。この構成を採用した場合においても実施の形態１と同様に使用するものであり、作用効果についても同様である。なお、上記した点については、以下に説明する各実施の形態においても同様である。
【００３０】
図７は本発明の多用途容器の他の実施の形態（実施の形態２）を示す縦断面図である。この多用途容器において、実施形態１で既に説明した構成と共通する部材等には同一符号を付し、説明を省略する。実施の形態２は容器本体の構成に特徴がある。
【００３１】
実施の形態２の多用途容器の容器２００は、容器本体１Ａと蓋２Ａをプラスチック等で構成してある。容器本体１Ａは、容器本体１Ａの上端部（図示では略上半部）に、蓋２Ａの対向壁板３２,３２、３３,３３の厚みと対応し、かつ、容器本体１Ａの外周面を周回する段部４０を介して一体形成した延設筒状部４１を有している。前記筒状部４１は、容器本体１Ａの前後及び左右に対向する一対の対向壁板１４,１４、１５,１５に一対的に延設した一対の対向壁板１４Ａ,１４Ａ、１５Ａ,１５Ａにより長方形の角筒状に形成されている。
そして、実施の形態２は、前記延設筒状部４１により前記蓋２Ａを嵌合する前記嵌合筒状部３を構成してある。また、実施の形態２においては、蓋２Ａの嵌合部は前記対向壁板３２,３２、３３,３３の全体で構成し、蓋２Ａを前記筒状部３に嵌合し、前記筒状部３の上端が蓋２Ａの天板３１の下面に当接した状態で前記間隙４を形成して閉蓋するように構成してある。他の構成は実施の形態１と同様である。
【００３２】
実施の形態２の多用途容器は上記のように構成され、実施形態１と同様に使用するものである。これにより、実施形態１と同様の作用効果を奏する。
【００３３】
図８は本発明の多用途容器のさらに他の実施の形態（実施の形態３）を示す縦断面図である。実施の形態３の多用途容器において、実施の形態１及び２で既に説明した構成と共通する部材等には同一符号を付し、説明を省略する。実施の形態３は容器本体及び蓋の閉蓋手段の構成に特徴がある。
【００３４】
実施の形態３の多用途容器の容器３００は、容器本体１Ｂと蓋２Ｂをプラスチック等で構成してある。容器本体１Ｂは、容器本体１Ｂの上端部に一体形成した延設筒状部４１Ａの高さ、即ち、前記対向壁板１４,１４、１５,１５に一対的に延設した一対の対向壁板１４Ｂ,１４Ｂ、１５Ｂ,１５Ｂの高さを実施の形態２に比べ、約半分程度に形成してある。容器本体１Ｂの他の構成は実施の形態１の容器本体１Ａと同様である。
【００３５】
また、実施の形態３の蓋２Ｂは、蓋２Ｂの対向壁板３２,３２、３３,３３の下端部側（図示では略下半部）は、蓋２Ｂの内周面を周回する係合段部５０を介して肉薄に形成され、この肉薄部で前記筒状部４１Ａで構成される嵌合用筒状部３に嵌合する嵌合部５１を構成してある。そして、蓋２Ｂを前記筒状部３に嵌合し、前記筒状部３の上端が蓋２Ｂの前記係合段部５０に当接した状態で前記間隙４を形成して閉蓋するように構成してある。他の構成は実施の形態１及び２と同様である。
【００３６】
実施の形態３の多用途容器は上記のように構成され、実施の形態１と同様に使用するものである。これにより実施の形態１と同様の作用効果を奏する。なお、実施の形態３のように構成すると、実施の形態１及び２に比べ、容器本体の深さを浅く構成することができる。そのため、或る種の物品収納保管用等に使用する際に、物品の取り出し作業が簡単になる。
【００３７】
図９は本発明の多用途容器のさらに他の実施の形態（実施の形態４）を示す縦断面図、図１０は同上容器の蓋を開けた状態を示す斜視図（但し、世界地図は省略）である。この多用途容器において、上述した実施の形態で既に説明した構成と共通する部材等には同一符号を付し、説明を省略する。実施の形態４は前記隙間４に代え、容器本体に化粧紐状体を取り付けた構成に特徴がある。
【００３８】
実施の形態４の多用途容器の容器４００は、容器本体１Ｃの内側容器１２の高さ、即ち、外側容器１１から突出する突出部（嵌合用筒状部３）の長さを実施の形態１の内側容器１２に比べ、約半分程度に形成してある。容器本体１Ｃの他の構成は実施の形態１の容器本体１と同様である。また、実施の形態４の蓋２Ｃは実施の形態１の蓋２と同様に構成してある。
【００３９】
実施の形態４の容器本体１Ｃは、嵌合用筒状部３の下端部に設けられ、前記筒状部３の外周面を周回させ取り付けた化粧紐状体６０を有している。そして、前記筒状部３に前記蓋２Ｃを嵌合した際に、蓋２Ｃの下端を前記紐状体６０に当接して閉蓋し、容器４００の中央部外周面に前記紐状体６０で周回線６０ａを形成するように構成し、紐状体６０により形成される周回線を赤道として、容器４００の外面に世界地図を表示してある。
前記紐状体６０は例えば赤色系や金色その他の任意の色に着色した紐状体６０を採用することができる。実施の形態４では図１０に示すように、前記紐状体６０を、筒状部３に周回して両端部を蝶結び状に結着６１した例が開示されている。この紐状体６０の取付手段は固結びで結着してもよく、或は接着その他の手段で接着する等、任意の構成を採用することができる。他の構成は実施の形態１と同様である。
【００４０】
実施の形態４の多用途容器は上記のように構成され、実施の形態１と同様に使用するものである。これにより、実施の形態１と同様の作用効果を奏する。なお、実施の形態４の構成を採用すると、製造が簡単になる。また、実施の形態３と同様に容器本体の深さを浅く形成することができる。
【００４１】
図１１は本発明の多用途容器のさらに他の実施の形態（実施の形態５）を示す縦断面図、図１２は図１１の実施の形態の多用途容器において、蓋の内側蓋を図１１に示す状態から天地逆にして外側蓋内に嵌合した状態を示す縦断面図である。この多用途容器において、上記した実施の形態で既に説明した構成と共通する部分には同一符号を付し、説明を省略する。実施の形態５は蓋の構成および閉蓋手段の構成に特徴がある。
【００４２】
実施の形態５の多用途容器の容器５００は、実施の形態４と同様に容器本体１Ｄの内側容器１２の高さ、即ち、外側容器１１から突出する突出部（嵌合用筒状部３）の長さを実施の形態１の内側容器１２に比べ、約半分程度に形成してある。容器本体１Ｄの他の構成は実施の形態１と同様である。
【００４３】
また、実施の形態５の蓋２Ｄは、外側蓋６１と、この外側蓋６１内に嵌合して収容した内側蓋６２を有し、内側蓋６２の高さは外側蓋６１の高さの約半分程度に形成されている。
前記外側蓋７１は、実施の形態１の前記蓋２と同様に構成されている。
【００４４】
前記内側蓋７２は、紙材等を折り曲げて天板７３と、前後及び左右に対向する一対の対向壁板７４，７４、７５，７５とを有し、一端（天板７３の反対側端）を開口した長方形の折り箱で構成されている。
実施の形態５の内側蓋７２は、各対向壁板７４，７５の各天板７３側の端部をそれぞれ内側へ折り曲げた折り曲げ片７６を有し、折り曲げ片７６の内側表面（図１１において下面）に内装天板７７を添装して設けてある。この場合、前記折り曲げ片７６及び内装天板７７は省略してもよい。
【００４５】
前記内側蓋７２の高さは、蓋２Ｄの外側蓋７１を前記筒状部３に嵌合した際に、容器５００の中央部外周面に前記間隙４を形成して閉蓋する高さに構成されている。即ち、蓋２Ｄ（外側蓋７１）を前記筒状部３に嵌合し、前記筒状部３の上端が内側蓋７２に当接した状態で前記間隙４を形成して閉蓋するように構成してある。
【００４６】
前記内側蓋７２は、図１１に示すように天板７３を外側蓋７１の天板３１側に位置させるようにして、外側蓋７１内に嵌合し、或いは、図１２に示すように、図１１の状態から天地逆にして外側蓋７１内に嵌合し、使用される。この場合、内側蓋７２を図１２に示す姿勢で外側蓋７１内に嵌合すると、蓋２Ｄの上端部側に内側蓋７２により収容部（室）７８が形成される。
内側蓋７２を図１１に示す姿勢で外側蓋７１内に嵌合したときは、前記筒状部３の上端が内側蓋７２の前記各壁板７４，７５の端部（開口端部）に当接した状態で前記間隙４を形成して閉蓋するように構成してある。また、内側蓋７２を図１２に示す姿勢で外側蓋７１内に嵌合して使用するときは、前記筒状部３の上端が内側蓋７２の天板７３に当接した状態で前記間隙４を形成して閉蓋するように構成されている。他の構成は実施の形態１と同様である。
【００４７】
実施の形態５の多用途用器は上記のように構成され、実施の形態１と同様に使用するものである。これにより実施の形態１と同様の作用効果を奏する。なお、実施の形態５の構成を採用すると、内側蓋７２を図１２に示す姿勢で外側蓋７１内に嵌合して使用することにより、前記収容部７８を隠し収容部として利用することができる。
【００４８】
なお、上述した各実施の形態では、容器を四角形の箱形に形成した例を開示したが、容器の形状は五角形その他の多角形、或いは円筒形等の形状に変更可能なこと勿論である。また、実施の形態１〜３及び５の多用途容器において、前記間隙４の巾を広く形成（例えば約５ミリ程度）し、間隙４により形成される周回線４ａの部分に位置させて、容器本体に広告等の事項を印刷等で表示し、前記広告等を間隙４から見えるように構成することもできる。
【００４９】
また、上記した各実施の形態は一例として開示したもので、本発明は上記の実施の形態に限定されるものではなく、特許請求の範囲に記載の技術思想を越脱しない範囲内において任意に変更可能なものである。
【図面の簡単な説明】
【００５０】
【図１】本発明の多用途容器の一実施の形態を示す斜視図である。
【図２】同上容器の底面図である。
【図３】図１のＡ−Ａ線拡大断面図である。
【図４】同上容器の蓋を開けた状態を示す斜視図（但し、世界地図は省略）である。
【図５】同上容器の蓋を展開して示す説明図である。
【図６】同上容器の容器本体の外側容器を展開して示す説明図である。
【図７】本発明の多用途容器の他の実施の形態を示す縦断面図である。
【図８】本発明の多用途容器のさらに他の実施の形態を示す縦断面図である。
【図９】本発明の多用途容器のさらに他の実施の形態を示す縦断面図である。
【図１０】図９の容器の蓋を開けた状態を示す斜視図（但し、世界地図は省略）である。
【図１１】本発明の多用途容器のさらに他の実施の形態を示す縦断面図である。
【図１２】図１１実施の形態の多用途容器において、蓋の内側蓋を図１１に示す状態から天地逆にして外側蓋内に嵌合した状態に示す縦断面図である。
【符号の説明】
【００５１】
１      容器本体
２      蓋
３      嵌合用筒状部
４      隙間
４ａ    周回線
１７    世界地図
１００  容器
【図１】
2005200101.tif 000003
【図２】
2005200101.tif 000004
【図３】
2005200101.tif 000005
【図４】
2005200101.tif 000006
【図５】
2005200101.tif 000007
【図６】
2005200101.tif 000008
【図７】
2005200101.tif 000009
【図８】
2005200101.tif 000010
【図９】
2005200101.tif 000011
【図１０】
2005200101.tif 000012
【図１１】
2005200101.tif 000013
【図１２】
2005200101.tif 000014